(57)【要約】【課題】洗浄用ノズルがモータにより進退自在な局部洗浄装置を、全体にコンパクトで且つ安価なものとして提供する。【解決手段】一対の洗浄用ノズル３，３と、回転運動を発生させるモータ６と、モータ６の回転運動を伝達して各洗浄用ノズル３，３を進退させる駆動伝達機構２０とを備えた局部洗浄装置において、前記駆動伝達機構２０として、一軸上にその軸方向に所定距離を隔てて一対の扇型歯車部７１ａ，７１ｂを設けて成る振分伝達部７と、振分伝達部７の各扇型歯車部７１ａ，７１ｂと一対一で噛合う一対の増速用の回転伝達部８ａ，８ｂと、一対の洗浄用ノズル３，３の対向面にそれぞれ長手方向に設けられて、各回転伝達部８ａ，８ｂと一対一で連結して該回転伝達部８ａ，８ｂの回転運動を直線方向の進退運動に変換する進退伝達部３１ａ，３１ｂとを備えたものとする。【選択図】        図１
2004257093.tif 000002
【特許請求の範囲】
【請求項１】
進退自在に並設してある一対の洗浄用ノズルと、回転運動を発生させる動力源と、動力源の回転運動を伝達して各洗浄用ノズルを進退させる駆動伝達機構とを備えた局部洗浄装置において、前記駆動伝達機構として、一軸上にその軸方向に所定距離を隔てて一対の扇型歯車部を設けて成る振分伝達部と、振分伝達部の各扇型歯車部と一対一で噛合う一対の増速用の回転伝達部と、一対の洗浄用ノズルの対向面にそれぞれ長手方向に設けられて、各回転伝達部と一対一で連結して該回転伝達部の回転運動を直線方向の進退運動に変換する進退伝達部とを備えたことを特徴とする局部洗浄装置。
【請求項２】
回転伝達部の進退伝達部との連結部分が、円弧歯車を用いた歯車伝達機構であることを特徴とする請求項１記載の局部洗浄装置。
【請求項３】
回転伝達部の進退伝達部との連結部分が、摩擦ローラを用いたローラ伝達機構であることを特徴とする請求項１記載の局部洗浄装置。
【請求項４】
振分伝達部の扇形歯車部に形成される歯車部分の両端が歯底を成していることを特徴とする請求項１〜３のいずれか記載の局部洗浄装置。
【発明の詳細な説明】
【０００１】
【発明の属する技術分野】
本発明は、局部洗浄装置に関し、詳しくは、動力源から得られる回転運動を伝達してノズルを進退させる為の技術に関する。
【０００２】
【従来の技術】
従来から、モータ等の動力源から得られる回転運動を変換して洗浄用ノズルを自在に進退させる局部洗浄装置が提案されている（特許文献１参照）。このものは、例えば図１０や図１１に示すような構造である。即ち、この従来の局部洗浄装置９０には、ビデ洗浄用ノズル９１とお尻洗浄用ノズル９２とを並設してあり、各ノズル９１，９２は夫々がガイド部９５に案内されて進退自在となっている。各ノズル９１，９２にはそれぞれ直線状の進退伝達部９７，９７を設けており、両進退伝達部９７，９７の間には、モータ装置等の駆動源により回転駆動される円形ギア９８を配している。円形ギア９８には、略半周にのみ歯車部分９８ａが形成されており、例えば図１０の状態から時計回りに円形ギア９８を回転させると歯車部分９８ａはお尻洗浄用ノズル９２側の進退伝達部９７と噛合ってお尻洗浄用ノズル９２を前進させる。このとき、歯車部分９８ａはビデ洗浄用ノズル９１側の進退伝達部９７と噛合わないので、ビデ洗浄用ノズル９１が作動することはない。次に、円形ギア９８を反時計回りに回転させるとお尻洗浄用ノズル９２は後退し、このときもビデ洗浄用ノズル９１は作動しない。そして、上記した回転方向と逆方向に円形ギア９８を回転駆動することで、ビデ洗浄用ノズル９１を進退させ、且つ、この際にお尻洗浄用ノズル９２は作動しないようにできるものである。
【０００３】
しかしながら、上記した従来の局部洗浄装置９０において、円形ギア９８の歯車部９８ａと進退伝達部９７との噛合いによって各ノズル９１，９２の進退量を確保しようとすれば円形ギア８として充分に直径の大きな部品を配する必要があり、この為に局部洗浄装置９０全体の大型化を招いて、取付けスペースに余裕のある特定の便器にしか取付けることができないという問題があった。そこで、上記問題を解決する為に局部洗浄装置９０を小型化しようとすれば、今度は円形ギア８が小型化されてこれだけでは進退量も小さくなり、進退量を確保する為に水圧により進退を行うピストンシリンダ機構を併用する必要が生じるので、コストが高くつくといった問題が生じていた。
【０００４】
【特許文献１】
特開平９−８８１６１号公報
【０００５】
【発明が解決しようとする課題】
本発明は上記の点に鑑みてなされたものであり、モータ等の動力源から得られる回転運動を変換して洗浄用ノズルを自在に進退させることのできる局部洗浄装置を、多様な便器に取付け可能とする為に全体にコンパクトなものとして、且つ、安価で提供することを課題とするものである。
【０００６】
【課題を解決するための手段】
上記課題を解決するために本発明を、進退自在に並設してある一対の洗浄用ノズルと、回転運動を発生させる動力源と、動力源の回転運動を伝達して各洗浄用ノズルを進退させる駆動伝達機構とを備えた局部洗浄装置において、前記駆動伝達機構として、一軸上にその軸方向に所定距離を隔てて一対の扇型歯車部を設けて成る振分伝達部と、振分伝達部の各扇型歯車部と一対一で噛合う一対の増速用の回転伝達部と、一対の洗浄用ノズルの対向面にそれぞれ長手方向に設けられて、各回転伝達部と一対一で連結して該回転伝達部の回転運動を直線方向の進退運動に変換する進退伝達部とを備えたことを特徴としたものとする。
【０００７】
このようにすることで、扇形歯車部として小型の部材を用いても、その回転運動が回転伝達部にて増速されて伝達されるので、駆動伝達機構延いては局部洗浄装置全体を小型化しても充分な進退量が確保されるものである。そして、このように洗浄用ノズルの進退量を充分に備える局部洗浄装置を上記のような簡単な構成によりコンパクトに形成できることから、取付けスペースの大小に関わらず多様な便器に取付け可能であり且つ安価で提供可能な局部洗浄装置となるものである。
【０００８】
また、回転伝達部の進退伝達部との連結部分が、円弧歯車を用いた歯車伝達機構であることも好ましく、このようにすることで、歯底部分の幅を大きくとることができて汚れが溜まり難くなるとともに、付着した汚れも除去し易くなるものである。
【０００９】
また、回転伝達部の進退伝達部との連結部分が、摩擦ローラを用いたローラ伝達機構であることも好ましく、このようにすれば、上記連結部分に歯底部分がないことから汚れが溜まり難くなるとともに、付着した汚れも除去し易くなるものである。
【００１０】
また、振分伝達部の扇形歯車部に形成される歯車部分の両端が歯底を成していることも好ましく、このようにすることで、振分伝達部と回転伝達部とが一旦離れた後に再度噛合う際に、両者が離れている間に位置ずれが生じたとしても歯同士の噛合いにより自然に微調整されて良好な噛合いが確保されるものである。
【００１１】
【発明の実施の形態】
以下、本発明を添付図面に示す実施の形態に基づいて説明する。図６には、本発明の実施の形態における一例の局部洗浄装置の全体を示している。本例の局部洗浄装置の本体部１には、一方がビデ洗浄用ノズルであり他方がお尻洗浄用ノズルである一対の洗浄用ノズル３，３を進退自在に並設してあるノズル進退操作部２を備えており、本体部１に配してある停止ボタン１０、ビデボタン１１、お尻ボタン１２等の各種ボタン操作に応じて制御回路１３から出力される制御信号により、ノズル進退操作部２からいずれか一方の洗浄用ノズル３が前進するともに、この前進した洗浄用ノズル３に流路切替バルブ１４を介して水道管から水が送り込まれてビデ洗浄若しくはお尻洗浄を行うようになっている。
【００１２】
上記ノズル進退操作部２の構造は、図１や図２に示す通りであって、回転運動を発生させる動力源であるモータ６と、モータ６の回転運動を伝達して各洗浄用ノズル３，３を進退させる駆動伝達機構２０とを一体に備えた構造となっている。ノズル進退操作部２のケース部分５は上ケース５ａと下ケース５ａとを組合わせて構成されており、ケース部分５の内部には、駆動伝達機構２０を組付けるとともに両洗浄用ノズル３，３をスライド自在に収めている。また、上ケース５ａの上面にはモータ６を固定している。
【００１３】
上記駆動伝達機構２０は、ケース部分５内において一対の洗浄用ノズル３，３の間に配されていてモータ６により回転駆動されるとともにこの回転運動を一対の扇型伝達部７１ａ，７１ｂを介して２方向に振分ける振分伝達部７と、一対の洗浄用ノズル３，３に挟まれて位置するものであって振分伝達部７の各扇型伝達部７１ａ，７１ｂと一対一で噛合って上記のように２方向に振分けられた回転運動が伝達されて回転駆動される一対の回転伝達部８ａ，８ｂと、一対の洗浄用ノズル３，３の対向面にそれぞれ長手方向に設けられていて各回転伝達部８ａ，８ｂと一対一で連結して該回転伝達部８ａ，８ｂの回転運動を洗浄用ノズル３，３の直線方向の進退運動に変換する進退伝達部３１ａ，３１ｂとから構成されるものである。
【００１４】
振分伝達部７は、図３に示すように、モータ６により回転駆動される振分軸７２に、その軸方向に所定距離ｄを隔てて且つ軸方向から見て両者が重ならないように一対の扇型歯車部７１ａ，７１ｂを一体に設けて成る部材であり、このようにして一軸上に固定される各扇型歯車部７１ａ，７１ｂの外周面にはそれぞれ円周方向に歯車部分７３ａ，７３ｂを形成している。なお、本例においては扇型歯車部７１ａ，７１ｂを半円型として軸方向から見て一体に円形状を成すようにしている。また、一対の回転伝達部８ａ，８ｂは、それぞれが小径の小ギア８１ａ，８１ｂと大径の大ギア８２ａ，８２ｂとを一体に備えて同一の中心軸９に回動自在に支持される略同形状の部材であり、互いの大ギア８２ａ，８２ｂが近接して小ギア８１ａ，８１ｂが中心軸９の軸方向において所定距離ｄを隔てて位置するように、互いに逆向きに配している。進退伝達部３１ａは、並設される洗浄用ノズル３，３うち一方の洗浄用ノズル３ａの対向面上半部に形成されるものであり、進退伝達部３１ｂは、他方の洗浄用ノズル３ｂの対向面下半部に形成されるものであって、両進退伝達部３１ａ，３１ｂはこれの長手方向と直交する中心軸９の軸方向において重なることがないように上下にずれた位置となっている。本例においては洗浄用ノズル３ａがお尻洗浄用ノズル、洗浄用ノズル３ｂがビデ洗浄用ノズルとなっているが、これが逆であっても構わない。また、図中の４は各洗浄用ノズル３ａ，３ｂの後端にそれぞれシリコンチューブ（図示せず）を接続する為に取付けたチューブ接続用エルボである。
【００１５】
一対の回転伝達部８ａ，８ｂのうち図中上側にある回転伝達部８ａは、その小ギア８１ａが上側の扇形歯車７１ａの歯車部分７３ａと噛合うとともに、大ギア８２ａが洗浄用ノズル３ａの対向面上半部にある進退伝達部３１ａと噛合い、この回転伝達部８ａを介して振分伝達部７（扇形歯車部７１ａ）の回転運動が増速されて進退伝達部３１ａにまで伝達されるようになっている。また、図中下側にある回転伝達部８ｂは、その小ギア８１ｂが下側の扇形歯車７１ｂの歯車部分７３ｂと噛合うとともに、大ギア８２ｂが洗浄用ノズル３ｂの対向面下半部にある進退伝達部３１ｂと噛合い、この回転伝達部８ｂを介して振分伝達部７（扇形歯車部７１ｂ）の回転運動が増速されて進退伝達部３１ｂにまで伝達されるようになっている。
【００１６】
上記構成の局部洗浄装置において、図４に示すようにノズル進退操作部２が両洗浄用ノズル３ａ，３ｂを後退させている中立状態から、振分伝達部７を上方から見て時計回りに回転させると、この回転運動が上側の扇型歯車部７１ａと噛合う回転伝達部８ａにより増速されるとともに、この増速された回転運動が進退伝達部３１ａに伝達されて洗浄用ノズル３ａを前進させるものである。このとき、下側の扇形歯車部７１ｂは回転伝達部８ｂと噛合わないので、洗浄用ノズル３ｂは全く作動することがない。図５には、振分伝達部７を中立状態から時計回りに例えば１５０°回転させた場合を示しているが、この状態から振分伝達部７を反時計回りに回転させれば、洗浄用ノズル３ｂは作動せず洗浄用ノズル３ａが後退するものである。
【００１７】
また、図４に示す中立状態から振分伝達部７を反時計回りに回転させると、この回転運動が下側の扇型歯車部７１ｂと噛合う回転伝達部８ｂにより増速されるとともに、この増速された回転運動が進退伝達部３１ｂに伝達されて洗浄用ノズル３ｂを前進させるものである。このとき、上側の扇形歯車部７１ａは回転伝達部８１ａと噛合わないので、洗浄用ノズル３ａは全く作動することがない。そして、洗浄用ノズル３ｂが前進した状態から振分伝達部７を時計回りに回転させれば、洗浄用ノズル３ａは作動せず洗浄用ノズル３ｂが後退するものである。
【００１８】
しかして、本例の局部洗浄装置によれば、モータ６の回転運動は振分伝達部７の扇形歯車部７１ａ，７１ｂにより２方向に振分けられるとともに、各方向において回転伝達部８ａ，８ｂで回転運動が増速されたうえで、回転伝達部８ａ，８ｂと進退伝達部３１ａ，３１ｂとの連結により洗浄用ノズル３ａ，３ｂの進退運動に変換されるので、扇形歯車部７１ａ，７１ｂの半径が小さなものであっても増速により充分な進退量が確保される。つまり、振分伝達部７としては小型の部材でよく、また、この小型の振分伝達部７の両扇形歯車部７１ａ，７１ｂ間に上下に挟むように洗浄用ノズル３ａ，３ｂを配することができるので、ノズル進退操作部２延いては局部洗浄装置全体を小型化することができ、取付けスペースの大小に関わらず多様な便器に取付け可能なものとなる。そして、このようにするのに上記の簡単な構造で済むから、安価で提供可能である。
【００１９】
なお、本例の局部洗浄装置においては、回転伝達部８ａ，８ｂの進退伝達部３１ａ，３１ｂとの連結部分を、図７（ａ）、（ｂ）に示すようなインボリュート歯車４０を用いた歯車伝達機構としているが、これに限定されるものでなく、図７（ｃ）、（ｄ）に示すような円弧歯車４１を用いた歯車伝達機構としてもよいし、図７（ｅ）、（ｆ）や図８（ａ）、（ｂ）に示すように回転伝達部８ａ，８ｂの大ギア８２ａ，８２ｂを摩擦ローラ４２として進退伝達部３１ａ，３１ｂにこれと接する摩擦平面４３を形成した、ローラ伝達機構としてもよい。この場合、インボリュート歯車４０のように歯底部分５０に汚れが溜まることが防止されるうえに付着した汚れも除去しやすいという利点がある。
【００２０】
また、振分伝達部７の扇形歯車部７１ａ，７１ｂに形成される歯車部分７３ａ，７３ｂとしては、その両端が歯底を成すように形成することが望ましい。というのも、扇形歯車部７１ａ，７１ｂが回転伝達部８ａ，８ｂと一旦離れた後に再度連結を始めるまでの間に、洗浄用ノズル３ａ，３ｂの慣性や振動で位置ずれが生じることが通常であり、例えば図９（ａ）に示すように歯車部分７３ａ，７３ｂの両端を歯の頂上部分とした場合には再度連結時に上手く噛合わないことが多いのに対して、図９（ｂ）に示すように歯車部分７３ａ，７３ｂの両端が歯底となる場合には、多少の位置ずれがあっても歯同士の当たりで自然に微調整され、再度連結時の良好な噛合いが確保されるという利点があるからである。
【００２１】
【発明の効果】
上記のように請求項１記載の発明にあっては、扇形歯車部として小型の部材を用いても、その回転運動が回転伝達部にて増速されて伝達されるので、駆動伝達機構延いては局部洗浄装置全体を小型化しても充分な進退量が確保されることとなり、このように洗浄用ノズルの進退量を充分に備える局部洗浄装置を簡単な駆動伝達機構だけを用いた構成によりコンパクトに形成できることから、取付けスペースの大小に関わらず多様な便器に取付け可能であり且つ安価で提供可能な局部洗浄装置とすることができるという効果がある。
【００２２】
また、請求項２記載の発明にあっては、請求項１記載の発明の効果に加えて、円弧歯車を用いることで歯底部分の幅を大きくとることができて、汚れが溜まり難くなるとともに付着した汚れも除去し易くなるという効果がある。
【００２３】
また、請求項３記載の発明にあっては、請求項１記載の発明の効果に加えて、摩擦ローラを用いることで連結部分に歯底部分がなくなり、汚れが溜まり難くなるとともに付着した汚れも除去し易くなるという効果がある。
【００２４】
また、請求項４記載の発明にあっては、請求項１〜３のいずれか記載の発明の効果に加えて、振分伝達部と回転伝達部とが一旦離れた後に再度噛合う際に、両者が離れている間に位置ずれが生じたとしても歯同士の噛合いにより自然に微調整されて良好な噛合いが確保されるという効果がある。
【図面の簡単な説明】
【図１】本発明の実施の形態における一例の局部洗浄装置に配されるノズル進退操作部の分解斜視図である。
【図２】同上のノズル進退操作部の斜視図である。
【図３】同上のノズル進退操作部に配される振分伝達部の斜視図である。
【図４】同上のノズル進退操作部の中立状態を示す説明図である。
【図５】同上のノズル進退操作部の洗浄用ノズル前進状態を示す説明図である。
【図６】同上の局部洗浄装置の基本構成を示す説明図である。
【図７】同上の洗浄用ノズルの進退伝達部を示しており、（ａ）はインボリュート歯車を形成した場合の説明図、（ｂ）は（ａ）の主要部拡大図、（ｃ）は円弧歯車を形成した場合の説明図、（ｄ）は（ｃ）の主要部拡大図、（ｅ）は摩擦平面を形成した場合の説明図、（ｆ）は（ｅ）の主要部拡大図である。
【図８】同上の回転伝達部の進退伝達部との連結部分をローラ伝達機構とした場合を示す説明図であり、（ａ）は両方の洗浄用ノズルが後退した状態、（ｂ）は一方の洗浄用ノズルが前進した状態である。
【図９】振分伝達部と回転伝達部との噛合いを示す説明図であり、（ａ）は扇形歯車部の両端を歯の頂上部分とした場合、（ｂ）は扇型歯車部の両端を歯底とした場合である。
【図１０】従来の局部洗浄装置の洗浄用ノズルの収納構造を示す説明図である。
【図１１】従来の局部洗浄装置の説明図であり、（ａ）は側方からみた状態、（ｂ）は上方からみた状態を示している。
【符号の説明】
３  洗浄用ノズル
６  モータ
７  振分伝達部
８ａ  回転伝達部
８ｂ  回転伝達部
２０  駆動伝達機構
３１ａ  進退伝達部
３１ｂ  進退伝達部
４１  円弧歯車
４２  摩擦ローラ
７１ａ  扇型歯車部
７１ｂ  扇形歯車部
７２  振分軸
７３ａ  歯車部分
７３ｂ  歯車部分
【図１】
2004257093.tif 000003
【図２】
2004257093.tif 000004
【図３】
2004257093.tif 000005
【図４】
2004257093.tif 000006
【図５】
2004257093.tif 000007
【図６】
2004257093.tif 000008
【図７】
2004257093.tif 000009
【図８】
2004257093.tif 000010
【図９】
2004257093.tif 000011
【図１０】
2004257093.tif 000012
【図１１】
2004257093.tif 000013
【手続補正書】
【提出日】平成15年6月23日(2003.6.23)
【手続補正１】
【補正対象書類名】明細書
【補正対象項目名】０００７
【補正方法】変更
【補正の内容】
【０００７】
このようにすることで、扇形歯車部として小型の部材を用いても、その回転運動が回転伝達部にて増速されて伝達されるので、駆動伝達機構においては局部洗浄装置全体を小型化しても充分な進退量が確保されるものである。そして、このように洗浄用ノズルの進退量を充分に備える局部洗浄装置を上記のような簡単な構成によりコンパクトに形成できることから、取付けスペースの大小に関わらず多様な便器に取付け可能であり且つ安価で提供可能な局部洗浄装置となるものである。


【手続補正２】
【補正対象書類名】明細書
【補正対象項目名】００１１
【補正方法】変更
【補正の内容】
【００１１】
【発明の実施の形態】
以下、本発明を添付図面に示す実施の形態に基づいて説明する。図６には、本発明の実施の形態における一例の局部洗浄装置の全体を示している。本例の局部洗浄装置の本体部１には、一方がビデ洗浄用ノズルであり他方がお尻洗浄用ノズルである一対の洗浄用ノズル３，３を進退自在に並設してあるノズル進退操作部２を備えており、本体部１に配してある停止ボタン１０、ビデボタン１１、お尻ボタン１２等の各種ボタン操作に応じて制御回路１３から出力される制御信号により、ノズル進退操作部２からいずれか一方の洗浄用ノズル３が前進するとともに、この前進した洗浄用ノズル３に流路切替バルブ１４を介して水道管から水が送り込まれてビデ洗浄若しくはお尻洗浄を行うようになっている。


【手続補正３】
【補正対象書類名】明細書
【補正対象項目名】００１２
【補正方法】変更
【補正の内容】
【００１２】
上記ノズル進退操作部２の構造は、図１や図２に示す通りであって、回転運動を発生させる動力源であるモータ６と、モータ６の回転運動を伝達して各洗浄用ノズル３，３を進退させる駆動伝達機構２０とを一体に備えた構造となっている。ノズル進退操作部２のケース部分５は上ケース５ａと下ケース５ｂとを組合わせて構成されており、ケース部分５の内部には、駆動伝達機構２０を組付けるとともに両洗浄用ノズル３，３をスライド自在に収めている。また、上ケース５ａの上面にはモータ６を固定している。


【手続補正４】
【補正対象書類名】明細書
【補正対象項目名】００１８
【補正方法】変更
【補正の内容】
【００１８】
しかして、本例の局部洗浄装置によれば、モータ６の回転運動は振分伝達部７の扇形歯車部７１ａ，７１ｂにより２方向に振分けられるとともに、各方向において回転伝達部８ａ，８ｂで回転運動が増速されたうえで、回転伝達部８ａ，８ｂと進退伝達部３１ａ，３１ｂとの連結により洗浄用ノズル３ａ，３ｂの進退運動に変換されるので、扇形歯車部７１ａ，７１ｂの半径が小さなものであっても増速により充分な進退量が確保される。つまり、振分伝達部７としては小型の部材でよく、また、この小型の振分伝達部７の両扇形歯車部７１ａ，７１ｂ間に上下に挟むように洗浄用ノズル３ａ，３ｂを配することができるので、ノズル進退操作部２においては局部洗浄装置全体を小型化することができ、取付けスペースの大小に関わらず多様な便器に取付け可能なものとなる。そして、このようにするのに上記の簡単な構造で済むから、安価で提供可能である。